(57)【要約】【課題】構造上の制約及び外観に影響を及ぼすことなく被検知物体の存否を正確に検知することのできる照明器具を提供する。【解決手段】一面を開口した長尺箱状の器具本体１と、器具本体１内部の長手方向における端部に配設されて直管形の放電灯Ｌａが着脱自在に装着されるソケットと、所定周波数の電磁波を送波する送波部、及び送波部より送波された電磁波が物体において反射した反射波を受波する受波部を有し、送受波の周波数の差分に基づいて移動体の存否を検知して検知信号を出力するセンサ部２と、センサ部２からの検知信号に応じてソケットを介して放電灯Ｌａに供給する点灯電力の制御を行う制御部３とを備え、センサ部２は、放電灯Ｌａを挟んで器具本体１の開口と反対側に配設され、センサ部２と放電灯Ｌａとの間に、センサ部２から送波される電磁波のうち放電灯Ｌａに向かう電磁波を遮断するシールド部４を設けた。【選択図】図１
2010103056.tif 000002
【特許請求の範囲】
【請求項１】
一面を開口した長尺箱状の器具本体と、器具本体内部の長手方向における端部に配設されて直管形の放電灯が着脱自在に装着されるソケットと、所定周波数の電磁波を送波する送波部、及び送波部より送波された電磁波が物体において反射した反射波を受波する受波部を有し、送受波の周波数の差分に基づいて移動体の存否を検知して検知信号を出力するセンサ部と、センサ部からの検知信号に応じてソケットを介して放電灯に供給する点灯電力の制御を行う制御部とを備え、センサ部は、放電灯を挟んで器具本体の開口と反対側に配設され、センサ部と放電灯との間には、センサ部から送波される電磁波のうち放電灯に向かう電磁波を遮断するシールド部が設けられたことを特徴とする照明器具。
【請求項２】
前記シールド部は、センサ部と対向する面が電磁波を反射する反射面で形成されたことを特徴とする請求項１記載の照明器具。
【請求項３】
前記器具本体は、その内面にセンサ部から送波される電磁波を器具本体の開口に向けて反射する反射部が設けられたことを特徴とする請求項１又は２記載の照明器具。
【請求項４】
前記シールド部は、放電灯から照射される光を器具本体の開口に向けて反射する反射板から成ることを特徴とする請求項１乃至３の何れか１項に記載の照明器具。
【請求項５】
前記シールド部には電磁波を通過させる開口部が設けられ、開口部は、通過する電磁波が放電灯に向かわない位置に設けられたことを特徴とする請求項４記載の照明器具。
【発明の詳細な説明】
【技術分野】
【０００１】
本発明は、人体等の移動体の存否を検知するセンサを有する照明器具に関する。
【背景技術】
【０００２】
従来から、人体の存否を検知するセンサを有し、人体の存否に応じて点灯及び消灯を切り替える照明器具が知られており、例えば特許文献１に開示されている。この特許文献１に記載の照明器具では、人感センサの検知部を外方に突出して設けているため、構造上の制約となるとともに外観にも影響を及ぼすという問題があった。
【０００３】
外観に影響を及ぼすために器具にセンサを露出させた状態で配設できない場合には、例えば図６（ａ）に示すように、器具本体１００の外部にセンサ部１０１を配設する必要がある。この場合では、センサ部１０１と器具本体１００内部に配設された光源の点灯制御を行う制御部（図示せず）との間で通信を行うために有線又は無線で互いを接続する必要があるため、コストが増大したり施工が容易でないという問題があった。一方、外観を考慮せずに器具にセンサを露出させた状態で配設できる場合であっても、例えば図６（ｂ）に示すように、センサ部１０１を露出させた状態で配設するために器具本体１００において余分なスペースを必要とし、更に器具本体１００の長手方向両端において均等な検知範囲とするために、センサ部１０１を器具本体１００の長手方向両端部に設ける必要があり、コストが増大するという問題があった。
【０００４】
このため、上記問題を解決するために、電磁波等のエネルギ波を送波するとともに被検知物体からの反射波を受信し、送信波の周波数と受信波の周波数との差分であるドップラー周波数の有無によって被検知物体の存否を検知する所謂アクティブ型センサを器具内に配設することが考えられる。以下、上述のアクティブ型センサを有する照明装置の従来例について図面を用いて説明する。この従来例は、図７に示すように、一面を開口した長尺箱状の器具本体２００と、器具本体２００内部の長手方向両端部に配設された一対のソケット（図示せず）と、当該ソケットに取り付けられた直管形の放電灯Ｌａと、器具本体２００内部において放電灯Ｌａを挟んで開口と反対側に設けられたセンサ部２０１と、センサ部２０１からの検知信号に応じて放電灯Ｌａの点灯制御を行う制御部（図示せず）と、器具本体２００の開口を覆うように取り付けられて放電灯Ｌａから照射される光を制御する長尺板状のセード部２０２とを備える。ここで、本従来例では、器具本体２００の幅方向の寸法を狭くして美観を向上させる要望や、器具本体２００を中心としてセンサの検知範囲を均一にしたいという要望に対応するために、センサ部２０１を放電灯Ｌａの長手方向における略中央で且つ放電灯Ｌａの光の照射向きと反対側に配設している。
【特許文献１】特開２００６−３２０５０号公報
【発明の開示】
【発明が解決しようとする課題】
【０００５】
ところで、上記従来例では、センサ部２０１の検知範囲内に放電灯Ｌａが存在しているため、センサ部２０１からの送信波が放電灯Ｌａ内の電子において反射する。ここで、放電灯Ｌａ内の電子は動いているので、被検知物体において電磁波が反射する場合と同様にドップラー効果が生じてしまう。したがって、放電灯Ｌａが点灯している状態においてはセンサ部２０１が常に検知状態となってしまい、被検知物体の存否を正確に検知することができないという問題があった。
【０００６】
本発明は、上記の点に鑑みて為されたもので、構造上の制約及び外観に影響を及ぼすことなく被検知物体の存否を正確に検知することのできる照明器具を提供することを目的とする。
【課題を解決するための手段】
【０００７】
請求項１の発明は、上記目的を達成するために、一面を開口した長尺箱状の器具本体と、器具本体内部の長手方向における端部に配設されて直管形の放電灯が着脱自在に装着されるソケットと、所定周波数の電磁波を送波する送波部、及び送波部より送波された電磁波が物体において反射した反射波を受波する受波部を有し、送受波の周波数の差分に基づいて移動体の存否を検知して検知信号を出力するセンサ部と、センサ部からの検知信号に応じてソケットを介して放電灯に供給する点灯電力の制御を行う制御部とを備え、センサ部は、放電灯を挟んで器具本体の開口と反対側に配設され、センサ部と放電灯との間には、センサ部から送波される電磁波のうち放電灯に向かう電磁波を遮断するシールド部が設けられたことを特徴とする。
【０００８】
請求項２の発明は、請求項１の発明において、シールド部は、センサ部と対向する面が電磁波を反射する反射面で形成されたことを特徴とする。
【０００９】
請求項３の発明は、請求項１又は２の発明において、器具本体は、その内面にセンサ部から送波される電磁波を器具本体の開口に向けて反射する反射部が設けられたことを特徴とする。
【００１０】
請求項４の発明は、請求項１乃至３の何れか１項の発明において、シールド部は、放電灯から照射される光を器具本体の開口に向けて反射する反射板から成ることを特徴とする。
【００１１】
請求項５の発明は、請求項４の発明において、シールド部には電磁波を通過させる開口部が設けられ、開口部は、通過する電磁波が放電灯に向かわない位置に設けられたことを特徴とする。
【発明の効果】
【００１２】
本発明によれば、センサ部が放電灯を挟んで器具本体の開口と反対側に設けられているので、センサ部が器具本体の外部から視認されるのを防ぐことができ、したがって構造上の制約及び外観に影響を及ぼすことがない。また、センサ部から送波される電磁波のうち放電灯に向かう電磁波がシールド部によって遮断されるので、従来例のようにセンサ部からの電磁波が放電灯内の電子において反射してドップラー効果が生じることで常に検知状態となることがないため、被検知物体の存否を正確に検知することができる。
【００１３】
また、請求項３の発明によれば、センサ部から送波される電磁波のうち器具本体内面に向かう電磁波が器具本体内面において反射して照明空間に送波されるので、照明空間のうちセンサ部から放電灯に向かう電磁波がシールド部によって遮断されて直接送波されない空間においても電磁波を送波することができる。
【発明を実施するための最良の形態】
【００１４】
（実施形態１）
以下、本発明に係る照明器具の実施形態１について図面を用いて説明する。尚、以下の説明では、図１（ａ）における上下を上下方向と定めるものとする。本実施形態は、図１，２に示すように、下面を開口した長尺箱状の器具本体１と、器具本体１内部の長手方向における両端部に配設されて直管形の放電灯Ｌａが着脱自在に装着される一対のソケット（図示せず）と、電磁波を送受波することでドップラー効果により移動体の存否を検知して検知信号を出力するアクティブ型のセンサ部２と、センサ部２からの検知信号に応じてソケットを介して放電灯Ｌａに供給する点灯電力の制御を行う制御部３と、放電灯Ｌａの下部を除いた略全面を覆うシールド部４とから構成される。
【００１５】
器具本体１は、断面略台形状であって、その内部上面に後述するセンサ部２及び制御部３が配設されている。ここで、センサ部２は、器具本体１の長手方向及び幅方向における略中央部に配設されており、電磁波を器具本体１の長手方向及び幅方向において均一に送波するようにしている。また、センサ部２は、放電灯Ｌａを挟んで器具本体１の開口と反対側に配設されている。器具本体１内部の上面を挟んだ両側面には、それぞれセンサ部２からの電磁波を開口に向けて反射する長尺板状の金属製の反射部５が配設されている。
【００１６】
センサ部２は、図３に示すように、所定周波数（本実施形態では、電波法において特定小電力無線局の移動体検知センサー用に規定された２４ＧＨｚ帯）の送波信号を発振する発振回路２０と、発振回路２０からの送波信号を受けて電磁波を検知空間に出力する送波部である送信アンテナ２１と、検知空間に存在する物体に反射して生じる反射波を受波して受波信号を出力する受波部である受信アンテナ２２と、発振回路２０からの送波信号を送信アンテナ２１と後述するミキサ２４とに分配する分配器２３と、受信アンテナ２２からの受波信号と分配器２３からの送波信号とを混合して各信号の周波数の差分であるドップラー周波数に応じた信号を出力するミキサ２４と、ミキサ２４からの信号を増幅して出力するアンプ２５と、アンプ２５からの信号波形を予め記憶された基準波形と比較することで検知したか否かを判定し、判定に応じて検知信号を出力する信号処理回路２６とから成る。尚、このようにドップラー効果を利用して移動体を検知するセンサの回路構成は周知であるので、ここでは詳細な説明は省略するものとする。
【００１７】
制御部３は、外部の商用電源（図示せず）からの交流電力を高周波電力に変換して放電灯に供給する安定器の機能を有する。また、図１（ｂ）に示すように、センサ部２の信号処理回路２６からの検知信号に応じて放電灯Ｌａの点灯及び消灯を切り替える。即ち、検知信号が入力されない場合には放電灯Ｌａへ点灯電力を供給しないように制御することで放電灯Ｌａを消灯させ、検知信号が入力された場合には、放電灯Ｌａに点灯電力を供給するように制御することで放電灯Ｌａを点灯させる。尚、制御部３の回路構成については周知であるので、ここでは詳細な説明を省略するものとする。
【００１８】
シールド部４は、例えば電磁波を反射する金属板やフェライト、カーボン等の電波吸収体から成り、センサ部２と放電灯Ｌａとの間に配設されることでセンサ部２から送波される電磁波のうち放電灯Ｌａに向かう電磁波を遮断する。尚、シールド部４の器具本体１の内面と対向する側の面は電磁波を反射する若しくは吸収する何れかの役割を果たせばよいが、シールド部４の放電灯Ｌａと対向する側の面は放電灯Ｌａから照射される光を器具本体１の開口に向けて反射する役割を果たす必要がある。したがって、シールド部４は金属板で形成されるのが望ましい。
【００１９】
セード部６は、器具本体１の開口を塞ぐように長尺板状に形成され、例えばアクリルやガラス等のセンサ部２からの電磁波及び放電灯Ｌａから照射される光を透過させる材料から成る。而して、センサ部２からの電磁波を照明空間に送波させ且つ放電灯Ｌａから照射される光を制御することで、照明空間における照度を制御している。
【００２０】
以下、本実施形態の動作について図面を用いて説明する。先ず、図５（ａ）に示すように、センサ部２から電磁波が下方に送波される。ここで、放電灯Ｌａに向かって送波された電磁波はシールド部４において反射する若しくは吸収されるため、放電灯Ｌａには届かない。そして、シールド部４の脇を通過した送信波のみがセード部６を透過して照明空間に送波される（図５（ｂ）参照）。また、器具本体１の内側面に向かって送波された電磁波は、反射部５において反射してセード部６を透過し、照明空間に送波される（図５（ｃ）参照）。ここで、反射部５において反射した電磁波が放電灯Ｌａに向かった場合でも、放電灯Ｌａが下部を除いた略全面をシールド部４で覆われているため、電磁波が反射する若しくは吸収されることで放電灯Ｌａに電磁波が届くことはない（図５（ｄ）参照）。
【００２１】
照明空間に照射された電磁波は、照明空間内の壁面や例えば人等の移動体Ａにおいて反射し、反射波が再びセード部６を透過してセンサ部２で受信される（図５（ｅ）参照）。センサ部２では、当該反射波の周波数と送信波の周波数とを比較し、その検知結果に応じて検知信号を制御部３に出力する。ここで、移動体Ａが存在しない場合には、反射波の周波数と送信波の周波数とが一致するためにドップラー周波数が検出されず、したがってセンサ部２からは検知信号が出力されないため制御部３では放電灯Ｌａを消灯させるように制御する。移動体Ａが存在している場合には、反射波の周波数と送信波の周波数との差分であるドップラー周波数が検出されるため、センサ部２からは当該ドップラー周波数に応じた検知信号が制御部３に出力され、制御部３では放電灯Ｌａを点灯させるように制御する。
【００２２】
上述のように、センサ部２が放電灯Ｌａを挟んで器具本体１の開口と反対側に設けられているので、センサ部２が器具本体１の外部から視認されるのを防ぐことができ、したがって構造上の制約及び外観に影響を及ぼすことがない。また、センサ部２から送波される電磁波のうち放電灯Ｌａに向かう電磁波がシールド部４によって遮断されるので、従来例のようにセンサ部２からの電磁波が放電灯Ｌａ内の電子において反射してドップラー効果が生じることで常に検知状態となることがないため、移動体Ａの存否を正確に検知することができる。
【００２３】
また、器具本体１の内側面に反射部５を配設しているため、センサ部２から送波される電磁波のうち器具本体１内面に向かう電磁波が器具本体１内面において反射して放電灯Ｌａの直下の照明空間にも送波されるので、照明空間のうちセンサ部２から放電灯Ｌａに向かう電磁波がシールド部４によって遮断されて直接送波されない空間においても電磁波を送波することができる。
【００２４】
（実施形態２）
以下、本発明に係る照明器具の実施形態２について図面を用いて説明する。但し、本実施形態の基本的な構成は実施形態１と共通であるので、共通する部位には同一の番号を付して説明を省略するものとする。本実施形態は、図５（ａ），（ｂ）に示すように、シールド部４の代わりに反射板７を配設したことに特徴がある。
【００２５】
反射板７は、放電灯Ｌａの長手方向に沿って長尺な金属板を断面略半円形状に折曲して成り、器具本体１の開口の略全体を覆うように配設される。而して、反射板７の上面においてセンサ部２から送波される電磁波のうち放電灯Ｌａに向かう電磁波を反射するとともに、下面において放電灯Ｌａから照射される光を器具本体１の開口に向けて反射している。また、反射板７には、電磁波を通過させる略矩形状の２つの開口部７０が設けられており、これら開口部７０は通過する電磁波が放電灯Ｌａに向かわない位置に設けられている。而して、センサ部２から送波される電磁波のうち放電灯Ｌａに向かって送波される電磁波を遮断しつつ他の電磁波を開口部７０を介して反射板７の下方に通過させ、セード部６を透過させて照明空間に送波することができる。
【００２６】
上述のように、本実施形態においてもセンサ部２から送波される電磁波のうち放電灯Ｌａに向かう電磁波が反射板７で遮断されるので、実施形態１と同様の効果を奏することができる。
【図面の簡単な説明】
【００２７】
【図１】本発明に係る照明器具の実施形態１を示す図で、（ａ）は断面図で、（ｂ）はブロック図である。
【図２】同上の外観を示す図で、（ａ）は全体斜視図で、（ｂ）はセード部を外した状態の全体斜視図である。
【図３】同上のセンサ部を示すブロック図である。
【図４】（ａ）〜（ｅ）は同上の動作説明図である。
【図５】本発明に係る照明器具の実施形態２を示す図で、（ａ）は分解斜視図で、（ｂ）は断面図である。
【図６】従来の照明器具を示す図で、（ａ）はセンサ部を器具本体の外部に配設した場合の斜視図で、（ｂ）はセンサ部を器具本体の一面に露設した場合の斜視図である。
【図７】従来の他の照明器具を示す断面図である。
【符号の説明】
【００２８】
１  器具本体
２  センサ部
３  制御部
４  シールド部
Ｌａ  放電灯
【図１】
2010103056.tif 000003
【図２】
2010103056.tif 000004
【図３】
2010103056.tif 000005
【図４】
2010103056.tif 000006
【図５】
2010103056.tif 000007
【図６】
2010103056.tif 000008
【図７】
2010103056.tif 000009